(57)【要約】【課題】簡単な構成で容易に画像に重畳するフリッカーを測定できるフリッカー測定方法を提供する。【解決手段】表示装置１０で表示される画像のフリッカーを測定するフリッカー測定方法であって、測定対象のフリッカーの周期より所定の追加時間分（露光時間）長い時間間隔で、撮像部１００にて画像を撮像させて撮像信号を取得する画像撮像制御工程と、取得した撮像信号における光の強さを、追加時間（露光時間）毎のデータとしてフリッカーの波形を演算するフリッカー波形演算工程と、を実施する。【選択図】図１
2011169842.tif 000002
【特許請求の範囲】
【請求項１】
表示装置で表示される画像のフリッカーを測定するフリッカー測定方法であって、
測定対象のフリッカーの周期より所定の追加時間分長い時間間隔で、前記画像を撮像装置で順次撮像させて生成される撮像信号を取得する画像撮像制御工程と、
この画像撮像制御工程で取得した撮像信号における光の強さを、前記追加時間毎のデータとして前記フリッカーの波形を演算するフリッカー波形演算工程と、を実施する
ことを特徴とするフリッカー測定方法。
【請求項２】
請求項１に記載のフリッカー測定方法において、
前記画像撮像制御工程は、前記追加時間として、測定対象として設定されるフリッカーの周期を設定されるサンプリング数で除算して、各撮像自の露光時間を求め、この露光時間を前記追加時間として設定して、前記画像を前記撮像装置で順次撮像させる
ことを特徴とするフリッカー測定方法。
【請求項３】
請求項１または請求項２に記載のフリッカー測定方法において、
前記フリッカー波形演算工程は、前記撮像信号における画像を複数の領域に分割した分割領域毎にフリッカーの波形をそれぞれ演算する
ことを特徴とするフリッカー測定方法。
【請求項４】
請求項１ないし請求項３のいずれか一項に記載のフリッカー測定方法において、
前記フリッカー波形演算工程は、前記演算されたフリッカーの波形における光の強さの波形平均に対する波形振幅を、フリッカー値として演算する
ことを特徴とするフリッカー測定方法。
【請求項５】
表示装置で表示される画像のフリッカーを測定するフリッカー測定装置であって、
前記画像を撮像する撮像装置と、
測定対象のフリッカーの周期より所定の追加時間分長い時間間隔で、前記撮像装置で前記画像を順次撮像させて生成される撮像信号を取得する画像撮像制御手段と、
この画像撮像制御手段で取得した撮像信号における光の強さを、前記追加時間のデータとして前記フリッカーの波形を演算するフリッカー波形演算手段と、
を具備したことを特徴とするフリッカー測定装置。
【請求項６】
請求項５に記載のフリッカー測定装置において、
前記画像撮像制御手段は、
前記撮像装置で撮像させる露光時間および前記時間間隔を、設定入力される前記フリッカーの周期に基づいて演算するシャッタータイミング演算手段と、
前記露光時間および前記時間間隔で前記撮像装置により前記画像を撮像させるトリガー信号を前記撮像装置に出力する高精度タイマートリガー部と、を備え、
前記画像装置は、前記高精度タイマートリガー部から出力される前記トリガー信号により、前記画像を前記露光時間および前記時間間隔で撮像する
ことを特徴とするフリッカー測定装置。
【発明の詳細な説明】
【技術分野】
【０００１】
本発明は、画像表示面に表示される画像のフリッカーを測定するフリッカー測定方法およびその装置に関する。
【背景技術】
【０００２】
従来、例えばプロジェクターや液晶表示装置などの表示機器において、画像が表示される表示領域内における多点で、フリッカーを測定する各種方法が知られている（例えば、特許文献１参照）。
特許文献１に記載のフリッカーを測定する方法は、スクリーンに映し出されるプロジェクターからの映写光を、スクリーンに取り付けられた光センサーによって受光する。そして、光センサーから出力された光信号をバンドパスフィルターによって濾波する。また、プロジェクターの液晶パネルを駆動する交流電圧に起因するフリッカーの周期波形を解析して２つの異なる撮像時刻を検出し、ビデオカメラによりスクリーンの表示領域を撮像する。異なる撮像時刻で撮像した画像を差分処理し、スクリーン上の表示領域内の全ての点における液晶パネルのフリッカーを算出する構成が採られている。
【先行技術文献】
【特許文献】
【０００３】
【特許文献１】特開２００６−９１１４９号公報
【発明の概要】
【発明が解決しようとする課題】
【０００４】
上記特許文献１に記載の従来の方法では、映写光を受光する光センサーを必要とする。このため、例えば液晶表示装置などの光センサーを設置できない場合では、フリッカーの計測ができないため、利用範囲が限られる不都合がある。さらに、光センサーからの光信号を濾波処理するバンドパスフィルターや、濾波処理した光信号から交流電圧に起因するフリッカーの周期波形を解析して２つの撮像時刻を検出する回路などが必要となる。このため、装置構成が複雑となり、装置コストの低減を図り難い不都合がある。
本発明は、このような点に鑑みて、簡単な構成で容易に画像に重畳するフリッカーを測定できるフリッカー測定方法およびその装置を提供することを目的とする。
【課題を解決するための手段】
【０００５】
本発明のフリッカー測定方法は、表示装置で表示される画像のフリッカーを測定するフリッカー測定方法であって、測定対象のフリッカーの周期より所定の追加時間分長い時間間隔で、前記画像を撮像装置で順次撮像させて生成される撮像信号を取得する画像撮像制御工程と、この画像撮像制御工程で取得した撮像信号における光の強さを、前記追加時間毎のデータとして前記フリッカーの波形を演算するフリッカー波形演算工程と、を実施することを特徴とする。
【０００６】
この発明では、測定対象として画像に重畳すると想定されるフリッカーの周期より所定の追加時間分長い時間間隔で、撮像装置にて画像を撮像させる。撮像により得られた撮像信号における光の強さを、追加時間のデータとすることでフリッカーの波形を求める。例えば、横軸に時間、縦軸に光の強さを設定したグラフを想定し、前記追加時間の間隔で、前記光の強さを順次プロットし、そのプロットした点をつなげるとフリッカーの波形を求めることができる。
このことにより、測定対象として設定した周期のフリッカーが存在する場合、フリッカーの周期と異なる時間間隔で撮像される画像の光の強さは、フリッカーの一周期内の異なる時間の強さとなるので、前記追加時間毎に光の強さをプロットすることで、フリッカーの波形が再現されることとなる。
したがって、本発明では、撮像装置を用いて画像を設定したタイミング（設定したフリッカーの周期＋追加時間の間隔）で撮像すればフリッカーの波形を再現できる。このため、画像の表示領域内の任意の点でも、撮像した表示領域内の対応する点における撮像信号に基づいてフリッカーの波形を認識できる。したがって、フリッカーの周期を解析するための光センサーなどを別途設ける必要がなく、構成の簡略化が得られる。さらに、光センサーが不要であるため、測定環境や被測定装置などの制約が少なく、測定の汎用性を向上でき、画像に重畳するフリッカーを容易に測定できる。
なお、本発明における光の強さとしては、例えば明度や輝度に限らず、彩度など、光の特性を表す強さを対象とすることができる。また、表示装置で表示される画像としては、液晶パネルや有機ＥＬ（Electro Luminescence）パネル、ＰＤＰ（Plasma Display Panel）などの自発光により表示される画像の他、プロジェクターからスクリーンに投影された画像も対象とすることができる。
【０００７】
本発明のフリッカー測定方法において、前記画像撮像制御工程は、前記追加時間として、測定対象として設定されるフリッカーの周期を設定されるサンプリング数で除算して、各撮像自の露光時間を求め、この露光時間を前記追加時間として設定して、前記画像を前記撮像装置で順次撮像させることが好ましい。
この発明では、設定されるフリッカーの周期を設定されるサンプリング数で除算した露光時間を追加時間とし、フリッカーの周期より露光時間分長い時間間隔で画像を撮像させる。このことにより、撮像した画像の光の強さが露光時間毎のデータとされることとなり、フリッカーの波形を高精度に再現でき、想定するフリッカーを良好に計測できる。
【０００８】
本発明のフリッカー測定方法において、前記フリッカー波形演算工程は、前記撮像信号における画像を複数の領域に分割した分割領域毎にフリッカーの波形をそれぞれ演算することが好ましい。
この発明では、撮像信号における画像を複数の領域に分割した分割領域毎でフリッカーの波形をそれぞれ演算する。このことにより、画像の表示領域内で部分的に異なるフリッカーが画像に重畳する場合でも、分割領域毎にフリッカーの波形を認識できる。このため、分割領域毎に表示装置の表示状態を調整することで、より良好な画像の表示状態を提供できる。
【０００９】
本発明のフリッカー測定方法において、前記フリッカー波形演算工程は、前記演算されたフリッカーの波形における光の強さの波形平均に対する波形振幅を、フリッカー値として演算することが好ましい。
この発明では、演算したフリッカーの波形における光の強さの平均値である波形平均に対して、フリッカーの波形の波形振幅を演算してフリッカー値とする。このように、フリッカー値を演算することで、画像に重畳するフリッカーの大きさを評価することができ、例えば視認されるフリッカーの大きさに対応する閾値を設定することで、表示装置の表示状態を適切に評価できる。
【００１０】
本発明のフリッカー測定装置は、表示装置で表示される画像のフリッカーを測定するフリッカー測定装置であって、前記画像を撮像する撮像装置と、測定の目的として想定されるフリッカーの周期より所定の追加時間分長い時間間隔で、前記撮像装置で前記画像を順次撮像させて生成される撮像信号を取得する画像撮像制御手段と、この画像撮像制御手段で取得した撮像信号における光の強さを、前記追加時間毎に順次プロットし、前記フリッカーの波形を演算するフリッカー波形演算手段と、を具備したことを特徴とする。
【００１１】
この発明は、本発明に記載のフリッカー測定方法を装置構成としたもので、本発明の光フリッカー測定方法と同様の作用効果を奏する。
すなわち、測定の目的として画像に重畳すると想定されるフリッカーの周期に基づいて設定された露光時間および想定されるフリッカーの周期より所定の追加時間長い時間間隔で、画像撮像制御手段により撮像装置にて画像を撮像させる。撮像により得られた撮像信号の光の強さを、フリッカー波形演算手段により時間間隔における追加時間毎に順次プロットし、想定したフリッカーの波形を演算する。
このことにより、撮像装置を用いて画像を撮像すればよく、画像の表示領域内の任意の点でも、撮像した表示領域内の対応する点における撮像信号に基づいてフリッカーの波形を認識できる。このため、任意の点の画像を測定するための光センサーなどを別途設ける必要がなく、構成の簡略化が得られる。さらに、光センサーを利用できる測定環境に限られる従来の測定制約もなく、測定の汎用性の向上が容易に得られ、画像に重畳するフリッカーを容易に測定できる。
【００１２】
本発明のフリッカー測定装置において、前記画像撮像制御手段は、前記撮像装置で撮像させる露光時間および前記時間間隔を、設定入力される前記フリッカーの周期に基づいて演算するシャッタータイミング演算手段と、前記露光時間および前記時間間隔で前記撮像装置により前記画像を撮像させるトリガー信号を前記撮像装置に出力する高精度タイマートリガー部と、を備え、前記画像装置は、前記高精度タイマートリガー部から出力される前記トリガー信号により、前記画像を前記露光時間および前記時間間隔で撮像することが好ましい。
この発明では、シャッタータイミング演算手段により、設定入力されるフリッカーの周期に基づいて撮像装置で撮像させる露光時間および前記時間間隔を演算する。この演算された露光時間および時間間隔で撮像装置により画像を撮像させるトリガー信号を、高精度タイマートリガー部により撮像装置に出力する。そして、このトリガー信号で、撮像装置により画像を撮像させる。このため、高精度に計時した露光時間および時間間隔で画像を撮像できる。したがって、この高精度な撮像により得られる撮像信号の光の強さをプロットすることで、フリッカーの波形を高精度に再現できる。
【図面の簡単な説明】
【００１３】
【図１】本発明のフリッカー測定装置の概略構成を示すブロック図。
【図２】前記フリッカー測定装置で表示装置の画像の表示領域を測定した測定値とフリッカーとの関係を示すグラフ。
【図３】前記測定値における画像を示す概念図。
【図４】前記フリッカーの波形を演算する概念を示すグラフ。
【図５】前記画像に重畳するフリッカーを測定するための計測処理の動作を示すフローチャート。
【図６】前記測定値における画像を複数に分割した分割領域を示す概念図。
【図７】本発明の変形例であるフリッカーの波形を他の条件で演算する概念図。
【発明を実施するための形態】
【００１４】
以下、本発明に係る一実施形態を図面に基づいて説明する。
なお、本実施形態では、表示装置の画像として、所定のカラーパターンを表示させる構成を例示するが、この限りではない。例えば、単に白黒表示や所定の明るさの白色画像など、測定する画像の内容は適宜設定される。
【００１５】
［フリッカー測定装置の構成］
フリッカー測定装置１は、図１に示すように、表示装置１０、例えば表示機器であるプロジェクター１１からスクリーン１２に投影された画像を撮像し、画像に含まれるノイズであるフリッカー成分を測定する装置である。
このフリッカー測定装置１は、画像を撮像する撮像装置としての撮像部１００と、画像処理部２００と、を備えている。
【００１６】
撮像部１００は、ＣＣＤ（Charge Coupled Device）１１０と、自動利得制御部（ＡＧＣ：Automatic Gain Controller）１２０と、Ａ／Ｄコンバーター（Analog to Digital Converter）１３０と、などを備えている。
ＣＣＤ１１０は、例えば入射する光量を調整するアイリスを介して画像が結像されて光電変換し撮像信号を生成する。
ＡＧＣ１２０は、ＣＣＤ１１０で生成した撮像信号にゲインを持たせる。
Ａ／Ｄコンバーター１３０は、ＡＧＣ１２０からの撮像信号をデジタル信号に変換し、測定値として出力する。
【００１７】
画像処理部２００は、例えばパーソナルコンピューターなどが用いられ、撮像部１００で生成した測定値に基づいて、表示装置１０の画像に重畳するフリッカー成分を演算するものである。
この画像処理部２００は、例えばパーソナルコンピューターなどが用いられる。この画像処理部２００には、入力操作手段２０１と、記憶手段２０２と、高精度タイマートリガー部２０３と、が接続されている。
【００１８】
入力操作手段２０１は、例えばマウスやキーボード、フリッカー測定装置１のモニターに設けられたタッチパネル、音声入力などで、作業者により入力操作可能に構成されている。
入力操作手段２０１は、画像処理部２００に接続され、作業者による入力操作に応じた各種信号を画像処理部２００に設定入力させる。
【００１９】
記憶手段２０２は、例えばメモリーや各種記録媒体を利用するドライブなどが用いられる。そして、記憶手段２０２は、画像処理部２００に接続され、画像処理部２００が各種情報や測定値を読み出しおよび記録可能に構成されている。
また、記憶手段２０２には、例えばフリッカー測定装置１全体を制御するＯＳ（Operating System）上に展開される各種プログラムなども記憶している。
【００２０】
高精度タイマートリガー部２０３は、例えば水晶振動子などを備え、１／１０００秒や１／２０００秒などの極めて短い時間間隔を高精度に計時可能に構成されている。
この高精度タイマートリガー部２０３は、画像処理部２００および撮像部１００に各種情報を送受信可能に接続されている。そして、高精度タイマートリガー部２０３は、詳細は後述するが、画像処理部２００からの撮像条件に関する情報に基づき、トリガー信号を高精度に計時して撮像部１００へ出力して撮像させる。
【００２１】
画像処理部２００は、例えばＣＰＵなどを備え、フリッカー測定装置１全体を制御するＯＳ上に展開される各種プログラムが構成されている。
すなわち、画像処理部２００は、各種プログラムとして、シャッタータイミング演算手段２１０と、画像撮像制御手段としてのトリガー部制御手段２２０と、フリッカー波形演算手段２３０と、などを備えている。
【００２２】
シャッタータイミング演算手段２１０は、測定対象である測定の目的として画像に重畳すると想定されるフリッカーの周期に基づいて、撮像部１００で画像を撮像して測定値を生成させる撮像条件を設定する。
このシャッタータイミング演算手段２１０は、サンプリング数設定手段２１１と、フリッカー同期設定手段２１２と、露光時間設定手段２１３と、撮像タイミング設定手段２１４と、を備えている。
【００２３】
サンプリング数設定手段２１１は、作業者による入力操作手段２０１の入力操作に応じて、撮像部１００で撮像させる回数であるサンプリング数を設定する。この設定されたサンプリング数に関する撮像数設定信号は、記憶手段２０２に適宜記憶される。
サンプリング数としては、例えば６回以上測定することが好ましい。すなわち、サンプリング数が６回より小さくなると、想定するフリッカーの６周期分より少なくなり、詳細は後述するフリッカーの波形を再現する際のプロットする数が少なくなる。このことにより、再現するフリッカーの波形の精度が低くなるという不都合があることから、ある程度の精度でフリッカーの波形を演算するためには、６回以上にすることが好ましい。
【００２４】
フリッカー同期設定手段２１２は、作業者が入力操作手段２０１により、測定対象である想定するフリッカーの周期を入力操作することで、この入力操作に応じたフリッカーの周期が設定される。
ここで、例えば図２の二点鎖線の波形図に示すフリッカーが画像に重畳されていると想定される場合、この想定されるフリッカーの周期Ｔ2［ｍ秒］は、フリッカーの１周期分の時間長であるである。
そして、設定された周期Ｔ2に関する周期設定信号は、記憶手段２０２に適宜記憶される。
【００２５】
露光時間設定手段２１３は、想定されるフリッカーの周期Ｔ2に基づいて、図２のパルス状に示される露光時間Ｔ1［ｍ秒］を設定する。すなわち、露光時間設定手段２１３は、サンプリング数設定手段２１１およびフリッカー同期設定手段２１２で設定されたサンプリング数およびフリッカーの周期Ｔ2に基づき設定する。具体的には、露光時間Ｔ1は、サンプリング数をＮとしたとき、例えば以下の式（１）に示すように、サンプリング数Ｎに対する想定されるフリッカーの周期Ｔ2で表される。
［式１］
Ｔ1＝Ｔ2／Ｎ  …（１）
この設定された露光時間Ｔ1に関する露光時間設定信号は、記憶手段２０２に適宜記憶される。
【００２６】
撮像タイミング設定手段２１４は、想定されるフリッカーの周期Ｔ2に基づいて、図２で示す撮像する間隔である露光時間Ｔ1の時間間隔Ｔ3を、周期Ｔ2より所定の追加時間分長く設定する。具体的には、撮像タイミング設定手段２１４は、以下の式（２）に示すように、周期Ｔ2より所定の追加時間分となる露光時間Ｔ1分長く設定する。
［式２］
Ｔ3＝Ｔ1＋Ｔ2  …（２）
この設定された時間間隔Ｔ3に関する時間間隔設定信号は、記憶手段２０２に適宜記憶される。
【００２７】
トリガー部制御手段２２０は、シャッタータイミング演算手段２１０で設定された撮像条件に関する各種信号を高精度タイマートリガー部２０３へ送信し、撮像部１００で撮像させる制御をする。
具体的には、撮像条件の各種信号をトリガー部制御手段２２０から受信した高精度タイマートリガー部２０３は、撮像条件に従って撮像部１００を制御して画像を撮像させ、撮像信号である測定値を生成させる。
ここで、画像の撮影に際して、例えば図３に示すように、少なくとも表示装置１０の画像１３の全域が含まれる状態とする。このことにより、画像１３の全域で画像１３に重畳するフリッカー成分を測定できる。
そして、撮像部１００で生成された測定値は、画像処理部２００で適宜取得され、記憶手段２０２に順次記憶される。
【００２８】
フリッカー波形演算手段２３０は、画像１３の撮像により取得した測定値における光の強さ（測定値の大きさ）を、時間間隔Ｔ3における所定の追加時間である露光時間Ｔ1毎のデータとして、フリッカーの波形を演算する。
具体的には、フリッカー波形演算手段２３０は、例えば二値化処理などにより測定値における画像１３部分の光の強さを抽出する。この光の強さを、図４に示すように、露光時間Ｔ1毎に順次プロットする。すなわち、図２に示す時間間隔Ｔ3におけるフリッカーの周期Ｔ2に対してずれる時間長となる露光時間Ｔ1でプロットし、図４に示すようにそれぞれフリッカーの周期Ｔ2分ずつ詰めた露光時間Ｔ1間隔で測定値をプロットする。このプロットした点をつなげることにより、図２および図４に二点鎖線で示すフリッカーの波形図が描画される状態に再現される。そして、フリッカー波形演算手段２３０は、再現された波形図からフリッカーの波形式を演算する。
また、フリッカー波形演算手段２３０は、演算したフリッカーの波形である波形式に基づいて、図４に示すＤＣ成分およびＡＣ成分を算出する。すなわち、フリッカー波形演算手段２３０は、フリッカーの波形における光の強さの平均値である波形平均（ＤＣ成分）と、波形振幅（ＡＣ成分）とを算出する。そして、フリッカー波形演算手段２３０は、以下の式（３）で示すように、ＤＣ成分に対するＡＣ成分で表されるフリッカーの度合いであるフリッカー値ｆを算出する。
［式３］
ｆ＝ＡＣ成分／ＤＣ成分
【００２９】
［フリッカー測定装置によるフリッカーの測定方法］
次に、上記フリッカー測定装置１を用いて画像１３に重畳するフリッカーを測定する方法を、図面を参照して説明する。
図５は、画像に重畳するフリッカーを測定するための計測処理の動作を示すフローチャートである。図６は、測定値における画像を複数の分割領域に分割した概念を示す概念図である。
【００３０】
まず、計測処理では、図５に示すように、計測画面表示処理が実施される（ステップＳ１）。
すなわち、ステップＳ１の計測画像表示処理では、図１に示すように、表示装置１０およびフリッカー測定装置１を所定の位置にセットする。なお、セットに際しては、例えば搬送装置などを用いて測定する表示装置１０の表示機器（プロジェクター）１１を自動的に図１に示す所定の位置に設置したり、作業者が手動で設置したりしてもよい。
そして、フリッカー測定装置１の画像処理部２００は、セットされた旨の信号を認識すると、表示装置１０から測定用の所定の画像１３を表示している旨の表示信号を受信することで、次の処理である表示画面撮像処理が実施される（ステップＳ２）
なお、表示信号の受信は、例えば表示装置１０から直接受信する構成の他、作業者による設定入力により受信する構成としてもよい。
【００３１】
そして、ステップＳ２の表示画面撮像処理は、予め作業者により設定入力されたサンプリング数Ｎおよび想定されるフリッカーの周期Ｔ2に基づいて、シャッタータイミング演算手段２１０により露光時間Ｔ1および時間間隔Ｔ3を演算する。そして、トリガー部制御手段２２０により、演算された露光時間Ｔ1および時間間隔Ｔ3を撮像条件として高精度タイマートリガー部２０３へ送信する。高精度タイマートリガー部２０３は、送信された露光時間Ｔ1および時間間隔Ｔ3に対応して高精度に計時したトリガー信号を生成し、このトリガー信号を撮像部１００へ出力する。この出力されたトリガー信号により、撮像部１００により高精度な露光時間Ｔ1および時間間隔Ｔ3で画像１３を撮像させる。この撮像により生成された測定値は、画像処理部２００で順次取得して記憶手段２０２に記憶させる。
そして、画像処理部２００は、設定されたサンプリング数Ｎで測定値を取得したことを認識すると、ステップＳ２の表示画面撮像処理を終了する。
【００３２】
このステップＳ２の表示画面撮像処理の後、表示領域抽出処理が実施される（ステップＳ３）。
このステップＳ３の表示領域抽出処理は、フリッカー波形演算手段２３０により、例えば二値化処理などにより、図３に示すように、測定値ｔ0，ｔ1，…，ｔNにおける撮像した画像１３の表示領域を抽出する。
この抽出した画像１３の信号値は、測定値ｔ0，ｔ1，…，ｔNに紐付けられて記憶手段２０２に順次記憶される。
【００３３】
このステップＳ３の表示領域抽出処理で抽出した画像１３の信号値は、次の処理である領域内平均化処理で処理する（ステップＳ４）。
このステップＳ４の領域内平均化処理は、フリッカー波形演算手段２３０により、ステップＳ３で抽出した画像１３を、例えば図６に示すように、予め設定された数や領域で複数の分割領域ａ0，ａ1，…，ａnに分割する処理をする。これら分割領域ａ0，ａ1，…，ａnは、各表示領域の測定値ｔ0，ｔ1，…，ｔNに紐付けたデータ構造で記憶手段２０２に記憶される。
なお、これら分割領域ａ0，ａ1，…，ａnを分割する処理は、ステップＳ３で全ての測定値ｔ0，ｔ1，…，ｔN毎の画像１３を抽出する処理の終了後に実施する構成に限らない。例えば、抽出される画像１３を順次分割する処理を平行して実施してもよい。
そして、フリッカー波形演算手段２３０は、各分割領域ａ0，ａ1，…，ａn内の各画素値を抽出し、抽出した画素値の平均値を演算する。これら平均値は、各測定値ｔ0，ｔ1，…，ｔNの分割領域ａ0，ａ1，…，ａn毎に紐付けたデータ構造で記憶手段２０２に記憶され、ステップＳ４の領域内平均化処理が終了する。
【００３４】
このステップＳ４の領域内平均化処理が終了後、フリッカー周期波形再現処理が実施される（ステップＳ５）。
このステップＳ５のフリッカー周期波形再現処理は、フリッカー波形演算手段２３０により、ステップＳ４の分割領域ａ0，ａ1，…，ａn毎でフリッカーの波形を演算する処理をする。すなわち、フリッカー波形演算手段２３０は、ステップＳ４の分割領域ａ0，ａ1，…，ａn毎の信号値である光の強さを、図４に示すように、露光時間Ｔ1毎にそれぞれ順次プロットし、図２および図４に二点鎖線で示すフリッカーの波形を再現する。この再現した波形からフリッカーの波形式を演算する。
この後、フリッカー波形演算手段２３０は、演算したフリッカーの波形に基づいて、図４に示すＤＣ成分およびＡＣ成分を算出する。すなわち、フリッカー波形演算手段２３０は、フリッカーの波形における光の強さの平均値である波形平均（ＤＣ成分）と、波形振幅（ＡＣ成分）とを算出する。そして、フリッカー波形演算手段２３０は、上述した式（３）で示すフリッカー値ｆを算出し、ステップＳ５のフリッカー周期波形再現処理を終了する。
なお、フリッカー値ｆの算出後は、例えば出力して作業者に報知したり、表示装置１０の表示状態を制御したりした後、ステップＳ５を終了してもよい。
そして、画像処理部２００は、ステップＳ５のフリッカー周期波形再現処理を終了したことを認識すると、次の異なる周期Ｔ2におけるフリッカーの波形の再現やフリッカー値ｆの算出の処理がある場合には、上述した処理を繰り返す。一方、次の処理がない場合には、計測処理を終了する。
【００３５】
［実施形態の作用効果］
上述した第一実施形態によれば、以下の効果を奏する。
（１）測定の目的として画像１３に重畳すると想定されるフリッカーの周期Ｔ2より所定の追加時間である露光時間Ｔ1分長い時間間隔Ｔ3で、撮像部１００を用いて画像１３を撮像させる。この撮像により得られた測定値の信号値である光の強さを、追加時間である露光時間Ｔ1毎に順次プロットする。
このことにより、測定対象として設定した周期のフリッカーが存在する場合、フリッカーの周期Ｔ2と異なる時間間隔Ｔ3で撮像される画像１３の光の強さは、フリッカーの一周期内の異なる時間の強さとなる。一方、測定対象として設定した周期でフリッカーが存在しない場合、画像１３の光の強さは一定で、異なる撮影するタイミングでも光の強さに差は生じない。したがって、撮像する時間間隔Ｔ3におけるフリッカーの周期Ｔ2とずれる追加時間である露光時間Ｔ1毎に光の強さをプロットすることで、フリッカーが存在する場合には所定の波形図が再現され、フリッカーが存在しない場合には一定値となる直線状の波形図が再現されることとなる。
したがって、本実施形態では、撮像部１００を用いて画像１３を設定したタイミング（設定したフリッカーの周期Ｔ2＋追加時間である露光時間Ｔ1）の間隔で撮像すればフリッカーの波形を再現できる。このため、画像１３の表示領域内の任意の点でも、撮像した表示領域内の対応する点における画像１３の画素値である撮像信号に基づいてフリッカーの波形を認識できる。したがって、フリッカーの周期Ｔ2を解析するための光センサーなどを別途設ける必要がなく、構成の簡略化が得られる。さらに、光センサーが不要であるため、測定環境や被測定装置などの制約が少なく、測定の汎用性を向上でき、画像１３に重畳するフリッカーを容易に測定できる。
【００３６】
（２）本実施形態では、測定対象として設定されるフリッカーの一周期を設定されたサンプリング数Ｎで除算して、撮像部１００で撮像させる露光時間Ｔ1を設定し、設定されるフリッカーの周期Ｔ2より露光時間Ｔ1分長い時間間隔Ｔ3で画像１３を撮像させている。
このため、露光時間Ｔ1毎に撮像した画像１３の光の強さがプロットされることとなり、フリッカーの波形図を高精度に再現でき、測定対象のフリッカーを良好に計測できる。
【００３７】
（３）本実施形態では、測定値の光の強さを露光時間Ｔ1毎にプロットすることでフリッカーの波形を再現している。
このため、想定されるフリッカーの周期Ｔ2を適宜変更して測定することで、設定した周期Ｔ2のフリッカーが画像１３に重畳するか否かを容易に測定できる。
【００３８】
（４）本実施形態では、測定値における画像１３を分割した分割領域ａ0，ａ1，…，ａn毎でフリッカーの波形をそれぞれ演算している。
このことにより、画像１３の表示領域内で部分的に異なるフリッカーが画像１３に重畳する場合でも、分割領域ａ0，ａ1，…，ａn毎にフリッカーの波形図を再現して認識できる。このため、分割領域ａ0，ａ1，…，ａn毎に表示装置１０の表示状態を調整することで、フリッカーのない良好な画像１３の表示状態を提供できる。
【００３９】
（５）さらに、各分割領域ａ0，ａ1，…，ａn内で各画素値を平均した値を用いて、分割領域ａ0，ａ1，…，ａn毎にフリッカーの波形図を再現している。
このため、分割領域ａ0，ａ1，…，ａn内での画素の誤表示などの誤差の影響がなく、分割領域ａ0，ａ1，…，ａn毎に良好なフリッカーの波形図を再現できる。
【００４０】
（６）本実施形態では、再現した波形図のフリッカーの波形式における光の強さの平均値である波形平均（ＤＣ成分）に対して、フリッカーの波形式の波形振幅（ＡＣ成分）を演算してフリッカーの度合いとなるフリッカー値ｆを算出している。
このように、フリッカー値ｆを演算することで、画像１３に重畳するフリッカーの大きさを評価することができる。したがって、例えば視認されるフリッカーの大きさに対応する閾値を設定することで、表示装置１０の表示状態を適切に評価できる。
【００４１】
（７）高精度タイマートリガー部２０３を用いて、高精度に計時した露光時間Ｔ1および時間間隔Ｔ3で撮像部１００により画像１３を撮像している。
このため、撮像により得られた測定値をプロットする処理で、高精度にフリッカーの波形を再現できる。したがって、画像１３に重畳するフリッカーを高精度に測定できる。
【００４２】
［実施形態の変形例］
なお、本発明は前述の実施形態に限定されるものではなく、本発明の目的を達成できる範囲での変形、改良等は本発明に含まれるものである。
例えば、フリッカー測定装置１として、フリッカー波形演算手段２３０で演算したフリッカーに基づいて、表示装置１０の駆動回路などを調整する構成を設け、フリッカーを除去した良好な画像１３を表示できるようにする構成としてもよい。また、フリッカーの演算結果をフリッカー測定装置１に設けられたモニターや印刷装置などにて出力させ、作業者により表示装置１０を調整させる構成としてもよい。
【００４３】
また、想定するフリッカーの周期Ｔ2として、異なる周期Ｔ2で順次測定させてもよい。例えば作業者が測定範囲として周期の範囲および周期間隔を設定入力し、測定の目的とするフリッカーの周期Ｔ2を、設定入力した周期の範囲で周期間隔毎に設定する。そして、露光時間Ｔ1およびＴ3を適宜設定して測定させ、各周期Ｔ2でフリッカーの波形を演算してフリッカーの有無を判断してもよい。
この構成により、未知のフリッカーでも画像１３に重畳するか否かを容易に測定できる。
【００４４】
撮像タイミング設定手段２１４で設定する時間間隔Ｔ3として、想定するフリッカーの周期Ｔ2より露光時間Ｔ1分長い時間長を例示したが、この限りではない。例えば、所定の追加時間として、露光時間Ｔ1の２倍の時間長とするなどしてもよい。この場合には、例えば図７に示すように、棒グラフで示される光の強さでプロットが、露光時間Ｔ1の間隔分間が空く状態となる。
このように、プロットした際にフリッカーの波形が演算できる値とすればよい。すなわち、フリッカーの周期Ｔ2の倍数以外であればよい。なお、時間間隔Ｔ3としてフリッカーの周期Ｔ2からずらすための追加時間が長くなると測定時間が長くなるので、追加時間は短い方がよい。
【００４５】
高精度タイマートリガー部２０３を設けて説明したが、例えば撮像部１００として、高精度の露光時間Ｔ1および時間間隔Ｔ3で撮像できる構成であれば、設けなくてもよい。この場合には、例えばトリガー部制御手段２２０にて撮像部１００を制御するなどが例示できる。
【００４６】
画像１３の表示領域を分割して分割領域ａ0，ａ1，…，ａn毎にフリッカーの波形を再現したが、画像１３の表示領域全体で１つのフリッカーの波形を再現してもよい。
具体的には、例えば画像１３の表示領域内の全画素値の平均値あるいは任意の複数の画素値の平均値などを光の強さとして演算し、順次所定の追加時間長でプロットし、フリッカーの波形を再現すればよい。
【符号の説明】
【００４７】
１…フリッカー測定装置、１０…表示装置、１３…画像、１００…撮像装置としての撮像部、２００…フリッカー測定装置として機能し得る画像処理部、２２０…画像撮像制御手段としてのトリガー部制御手段、２３０…フリッカー波形演算手段、ａ0，ａ1，…，ａn…分割領域、ｆ…フリッカー値、ｔ0，ｔ1，…，ｔN…撮像信号である測定値、Ｔ1…追加時間である露光時間、Ｔ2…フリッカーの周期、Ｔ3…時間間隔
【図１】
2011169842.tif 000003
【図２】
2011169842.tif 000004
【図３】
2011169842.tif 000005
【図４】
2011169842.tif 000006
【図５】
2011169842.tif 000007
【図６】
2011169842.tif 000008
【図７】
2011169842.tif 000009